【手続補正書】
【提出日】平成21年1月5日(2009.1.5)
【手続補正１】
【補正対象書類名】明細書
【補正対象項目名】００５８
【補正方法】変更
【補正の内容】
【００５８】
〔ホスト装置２０の構成例〕
図３を参照すると、ホスト装置２０は、制御部２２、通信部２３と、アンテナ２４と、記憶部２５と、操作部２６と、外部インターフェース２７とを備えることができる。ここで、図３に示すホスト装置２０では、例えば、制御部２２、通信部２３、およびアンテナ２４が、リーダ／ライタ２１を構成することができる。また、ホスト装置２０は、制御部２２が使用するプログラムや演算パラメータなどの制御用データが記録されたＲＯＭ（Read  Only  Memory；図示せず）、制御部２２により実行されるプログラムなどを一時記憶するＲＡＭ（Random  Access  Memory；図示せず）、表示部（図示せず）などを備えてもよい。ホスト装置２０は、例えば、データの伝送路としてのバス（bus）で各構成要素間を接続することができる。ここで、表示部（図示せず）としては、例えば、ＬＣＤ（Liquid  Crystal  Display；液晶ディスプレイ）、有機ＥＬディスプレイ（organic  ElectroLuminescence  display；または、ＯＬＥＤディスプレイ（Organic  Light  Emitting  Diode  display）とも呼ばれる。）などが挙げられるが、上記に限られない。
【手続補正２】
【補正対象書類名】明細書
【補正対象項目名】００７２
【補正方法】変更
【補正の内容】
【００７２】
記憶部１５は、非接触ＩＣカード１が備える記憶手段であり、各種の情報を記憶することができる。ここで、記憶部１５に記憶される情報としては、例えば、制御部１２が実行するアプリケーションプログラム、非接触ＩＣカード１を一意に識別するためのカードＩＤ、非接触ＩＣカード１が対応するサービスを表す（サービスコード、システムコードなど）、リーダ／ライタ２１から取得したデータや、制御部１２により演算されたデータなどからなるサービスデータが挙げられるが、上記に限られない。また、記憶部１５としては、例えば、ＥＥＰＲＯＭやフラッシュメモリなどの不揮発性メモリが挙げられるが、上記に限られない。
【手続補正３】
【補正対象書類名】明細書
【補正対象項目名】００８７
【補正方法】変更
【補正の内容】
【００８７】
表示部１０４は、電子財布装置１０が備える表示手段であり、例えば、非接触ＩＣカード１を利用したサービスに関連する各種の情報を表示することができる。例えば、表示部１０４は、収納部１０２に収納された非接触ＩＣカード１の種類や、当該非接触ＩＣカード１内に記憶されたサービスデータ（例えば電子バリューの残額）などのカード内部情報を表示することができる。ここで、表示部１０４としては、例えば、ＬＣＤ、有機ＥＬディスプレイなどが挙げられるが、上記に限られない。また、操作部１０３と表示部１０４とは、例えば、タッチスクリーンのように一体の部品とすることもできる。
【手続補正４】
【補正対象書類名】明細書
【補正対象項目名】００９５
【補正方法】変更
【補正の内容】
【００９５】
図６を参照すると、制御部１０５は、カード認識部１２０と、カード内部情報記録部１２２と、優先順位設定部１２４と、非使用カード情報生成部１２６と、優先カード情報生成部１２８と、カード選択部１３０と、通信制御部１３２とを備えることができる。また、記憶部１０６は、カード内部情報データベース１４０と、優先順位データベース１４２と、非使用カードデータベース１４４、優先カードデータベース１４６とを記憶することができる。以下、これら各部について詳述する。
【手続補正５】
【補正対象書類名】明細書
【補正対象項目名】００９８
【補正方法】変更
【補正の内容】
【００９８】
さらに、カード認識部１２０は、例えば、図５（ｃ）に示すように一つのスロットに複数枚の非接触ＩＣカード１が収納されている場合には、当該複数枚の非接触ＩＣカード１それぞれがアンチコリジョン対応の非接触ＩＣカードであるかを判定することもできる。上記複数枚の非接触ＩＣカード１の中にアンチコリジョン非対応の非接触ＩＣカードがある場合には、カード認識部１２０は、例えば、“スロットには、アンチコリジョン対応の非接触ＩＣカードとアンチコリジョン非対応の非接触ＩＣカードが混在しているため、非接触ＩＣカードが正常に動作しない場合がある”旨の警告情報を表示部１０４に表示させることができる。上記のような警告情報が表示部１０４に表示されることにより、ユーザは状態を認識し、電子財布装置１０に収納した非接触ＩＣカード１を正常に動作可能なスロットへと移動させることができるので、リーダ／ライタ２１と非接触ＩＣカード１との間の通信をより安定化することができる。なお、本発明の実施形態に係るカード認識部１２０における、上記複数枚の非接触ＩＣカード１の中にアンチコリジョン非対応の非接触ＩＣカードがある場合の動作は、上記に限られない。例えば、一つのスロット内に複数枚の非接触ＩＣカード１の中にアンチコリジョン非対応の非接触ＩＣカードがある場合には、カード認識部１２０が当該スロット内の非接触ＩＣカードのコード、識別情報などの各種情報を読み出さないとすることもできる。
【手続補正６】
【補正対象書類名】明細書
【補正対象項目名】０１１４
【補正方法】変更
【補正の内容】
【０１１４】
非使用カード情報生成部１２６は、非使用カードを表す非使用カード情報を生成し、例えば、記憶部１０６の非使用カードＤＢ１４４に記録する。ここで、非使用カード情報生成部１２６は、例えば、電子財布装置１０のユーザが、操作部１０３を用いて電子財布装置１０内に収納した複数枚の非接触ＩＣカード１のうちのリーダ／ライタ２１との通信には使用しない非接触ＩＣカード（非使用カード）を指定することによって、非使用カード情報を生成し、記憶部１０６に記録することができる。
【手続補正７】
【補正対象書類名】明細書
【補正対象項目名】０１１５
【補正方法】変更
【補正の内容】
【０１１５】
優先カード情報生成部１２８は、優先カードを表す優先カード情報を生成し、例えば、記憶部１０６の優先カードＤＢ１４６に記録する。ここで、優先カード情報生成部１２８は、例えば、電子財布装置１０のユーザが、操作部１０３を用いて電子財布装置１０内に収納した複数枚の非接触ＩＣカード１のうちのリーダ／ライタ２１との通信時に優先的に使用するカード（優先カード）を指定することによって、優先カード情報を生成し、記憶部１０６に記録することができる。
【手続補正８】
【補正対象書類名】明細書
【補正対象項目名】０１２２
【補正方法】変更
【補正の内容】
【０１２２】
（ｂ−２）非使用カード情報に基づく選択
カード選択部１３０は、例えば、非使用カードＤＢ１４４から非使用カード情報を読み出し、当該非使用カード情報が示す非接触ＩＣカード１を選択対象から除外することによって、非接触ＩＣカード１の選択を行う。非使用カード情報が示す非接触ＩＣカード１を選択対象から除外することにより、例えば、ユーザが使用を望まない非接触ＩＣカード１を電子財布装置１０が自動的に選択し、当該非接触ＩＣカード１が使用されることを防止することができる。
【手続補正９】
【補正対象書類名】明細書
【補正対象項目名】０１２３
【補正方法】変更
【補正の内容】
【０１２３】
（ｂ−３）優先カード情報に基づく選択
カード選択部１３０は、例えば、優先カードＤＢ１４６から優先カード情報を読み出し、当該優先カード情報が示す非接触ＩＣカード１を選択する。優先カード情報が示す非接触ＩＣカード１が選択されることにより、例えば、ユーザが使用を望む非接触ＩＣカード１を電子財布装置１０が自動的に選択し、当該非接触ＩＣカードを使用することができる。
【手続補正１０】
【補正対象書類名】明細書
【補正対象項目名】０１７０
【補正方法】変更
【補正の内容】
【０１７０】
記憶部３０４は、電子財布装置３０が備える記憶手段であり、各種の情報を記憶することができる。ここで、記憶部３０４に記憶される情報としては、例えば、制御部３０２が実行するアプリケーションプログラム、リーダ／ライタ２１から取得したデータや、制御部３０２における非接触ＩＣカード１の選択処理に使用されるデータ、制御部３０２により演算されたデータ、あるいは仮想カードデータなどの各種データが挙げられるが、上記に限られない。また、記憶部３０４としては、例えば、ＥＥＰＲＯＭやフラッシュメモリなどの不揮発性メモリが挙げられるが、上記に限られない。
【手続補正１１】
【補正対象書類名】明細書
【補正対象項目名】０１７５
【補正方法】変更
【補正の内容】
【０１７５】
図１２を参照すると、制御部３０２は、カード認識部３２０と、カード内部情報記録部３２２と、非使用カード情報生成部３２４と、優先カード情報生成部３２６と、カード選択部３２８と、データ処理部３３０と、仮想カード情報書き戻し部３３２とを備えることができる。また、制御部３０２は、第１の実施形態に係る制御部１０５と同様に、優先順位設定部（図示せず）を備えてもよい。
【手続補正１２】
【補正対象書類名】明細書
【補正対象項目名】０１７８
【補正方法】変更
【補正の内容】
【０１７８】
カード内部情報記録部３２２は、カード認識部３２０が取得した内部情報に基づいて、収納部１０２に収納されている非接触ＩＣカード１に対応する仮想カード情報を記憶部３０４に記録する。図１２では、カード内部情報記録部３２２が、非接触ＩＣカード１Ａに対応する仮想カード情報Ａ３５０、非接触ＩＣカード１Ｂに対応する仮想カード情報Ｂ３５２、および非接触ＩＣカード１Ｃに対応する仮想カード情報Ｃ３５４を記録した例を示している。なお、図１２では、仮想カード情報がファイル形式で記録された例を示しているが、本発明の実施形態に係る仮想カード情報の記録方式は、上記に限られず、例えば、ＤＢ形式で記録されてもよい。
【手続補正１３】
【補正対象書類名】明細書
【補正対象項目名】０１８６
【補正方法】変更
【補正の内容】
【０１８６】
優先カード情報生成部３２６は、優先カードを表す優先カード情報を生成し、例えば、記憶部３０４に記録する。ここで、優先カード情報生成部３２６は、第１の実施形態に係る優先カード情報生成部１２８と同様に、例えば、電子財布装置３０のユーザが操作部１０３を用いて優先カードを指定することによって、優先カード情報を生成し、記憶部３０４に記録することができる。なお、図１２では、優先カード情報がファイル形式で記録された例を示しているが、本発明の実施形態に係る優先カード情報の記録方式は、上記に限られず、例えば、ＤＢ形式で記録されてもよい。また、図１２では、一の優先カード情報３５８が記憶部３０４に記憶されているが、上記に限られず、例えば、記憶部３０４は、複数の優先カード情報を記憶することもできる。
【手続補正１４】
【補正対象書類名】明細書
【補正対象項目名】０２０３
【補正方法】変更
【補正の内容】
【０２０３】
以上のように、本発明の第２の実施形態に係る電子財布装置３０は、非接触ＩＣカード１の挿入（装着）に応じて、収納部１０２に挿入された非接触ＩＣカード１から内部情報を読み出して仮想カード情報として記憶部３０４に記録する。また、電子財布装置３０は、例えば、仮想カード情報（または、仮想カード情報およびその他の基準）と、リーダ／ライタ２１から送信される所定のサービスに関連する通信要求とに含まれるコードとを用いることによって、リーダ／ライタ２１との通信に使用する一の仮想カード情報を自動的に選択する。そして、電子財布装置３０は、選択された仮想カード情報を用いて所定のサービスに関する各種処理を行う。さらに、電子財布装置３０は、各種処理の結果に応じた応答信号をリーダ／ライタ２１に対して送信することができる。上記のように、電子財布装置３０は、収納部１０２に収納された非接触ＩＣカード１それぞれに対応する仮想カード情報の中から一の仮想カード情報を選択し、選択された仮想カード情報を用いてリーダ／ライタ２１（またはホスト装置２０）と通信を行うことができる。したがって、電子財布装置３０は、選択された仮想カード情報に対応する非接触ＩＣカード１とリーダ／ライタ２１とを仮想的に通信させることができる。